(57)【要約】【課題】土台用スペーサに要求される剛性及び強度を満足させながら、より多くの通気量を確保するようにする。【解決手段】長尺板状の土台用スペーサ１０Ａであって、その長手方向に所定間隔を隔てて並んで配列されるとともにその底面が基礎２０の上に載置可能な複数の隔壁部１２と、これらの隔壁部１２の上端部同士をその配列方向に連結する連結部１４とを備えている。上記連結部１４の縁からは上記隔壁部１２の上記配列方向と直交する方向の端部の少なくとも一方が外側に突出している。各隔壁部１２同士の間には、平面視で連結部１４と重なり合わない位置に、隣接する隔壁部１２同士を上下方向において連結部１４と反対側で相互連結する補助連結部１６が形成されている。【選択図】図７
2010133249.tif 000002
【特許請求の範囲】
【請求項１】
建造物の基礎とその上に載置される土台との間に介在する土台用スペーサであって、特定方向に所定間隔を隔てて並んで配列されるとともにその底面が上記基礎の上に載置可能な複数の隔壁部と、これらの隔壁部同士の間に介在し、隣接する隔壁部同士をその配列方向に連結する複数の連結部とを備え、上記各隔壁部の上面と上記複数の連結部のうち少なくとも一部の連結部の上面とは略同一平面上に位置して、その平面が上記土台が載置可能な土台載置面として構成されており、上記各連結部の縁からは上記隔壁部の上記配列方向と直交する方向の端部の少なくとも一方が外側に突出しており、上記各隔壁部同士の間には、平面視で上記連結部と重なり合わない位置に、隣接する隔壁部同士を上下方向において上記連結部と反対側で相互連結する補助連結部が形成されていることを特徴とする土台用スペーサ。
【請求項２】
請求項１に記載の土台用スペーサにおいて、上記各連結部は、上記隔壁部の上端部同士を連結するものであり、これらの連結部の上面と上記各隔壁部の上面とが略同一平面上に位置して上記土台載置面を構成しており、上記補助連結部は、上記隔壁部の下部同士を連結するものであることを特徴とする土台用スペーサ。
【請求項３】
請求項２に記載の土台用スペーサにおいて、上記補助連結部は、上記隔壁部の最下端よりも上側の高さ位置で当該隔壁部の下部同士を連結するものであり、当該隔壁部が上記基礎の上面上に載置された状態で上記補助連結部の下側に排水路が確保されるように構成されていることを特徴とする土台用スペーサ。
【請求項４】
請求項１〜３のいずれか１項に記載の土台用スペーサにおいて、上記連結部の縁から突出している上記隔壁部の端部がその突出方向に向かって先細りになっていることを特徴とする土台用スペーサ。
【請求項５】
請求項１〜４のいずれか１項に記載の土台用スペーサにおいて、上記隔壁部は、底面側に開口する筒状壁を有し、その内側に当該筒状壁を隔壁部の並び方向と平行な方向に連結するリブが設けられていることを特徴とする土台用スペーサ。
【請求項６】
請求項１〜５のいずれか１項に記載の土台用スペーサにおいて、全体が合成樹脂により一体に成形されていることを特徴とする土台用スペーサ。
【請求項７】
請求項１〜６のいずれか１項に記載の土台用スペーサにおいて、上記複数の隔壁部のうち少なくとも一部の隔壁部の上面には、上記土台載置面から下方に窪むとともに上記隔壁部が並ぶ方向と略直交する方向に延びて、隔壁部の両側に開口する溝部が形成されていることを特徴とする土台用スペーサ。
【請求項８】
建造物の基礎とその上に載置される土台との間に請求項１〜７のいずれか１項に記載の土台用スペーサが介在し、かつ、この土台用スペーサの連結部の縁から突出している端部が上記土台の縁からも突出するように当該土台用スペーサと上記土台との相対位置が決められていることを特徴とする土台構造。
【発明の詳細な説明】
【技術分野】
【０００１】
本発明は、建造物の基礎とその上に載置される土台との間に介在する土台用スペーサであって、建造物の床下を換気するための通気路を両者間に確保する土台用スペーサに関するものである。
【背景技術】
【０００２】
従来、建造物の床下を換気するために、建造物の基礎の一部に換気孔を設けることは良く知られている。しかし、この施工には手間がかかるので、予め床下換気用の通気路が形成された土台用スペーサを基礎と土台との間に介在させることで、当該基礎と土台との間に床下換気用の通気路を確保することも知られている。
【０００３】
例えば特許文献１には、上記のような土台用スペーサとして、床下換気用の通気路として幅方向に貫通する貫通孔を等間隔で設けたものが開示されている。
【０００４】
また、同文献には、同じく土台用スペーサとして、上記貫通孔の代わりに土台用スペーサの下面に幅方向に延びる溝を等間隔で形成し、その溝同士の間に介在する隔壁部の下面を基礎上に載置することにより、この基礎上に上記溝からなる通気路が形成されるようにしたものも開示されている。
【先行技術文献】
【特許文献】
【０００５】
【特許文献１】実開昭５７−１７２８１０号公報
【発明の概要】
【発明が解決しようとする課題】
【０００６】
上記土台用スペーサにおいては、当該スペーサに要求される強度を満足しながら如何に多くの通気量を確保できるようにするかが大きな課題となる。
【０００７】
このような観点において、上記特許文献１に開示される土台用スペーサのうち上記通気路として貫通孔が設けられたものは、その通気路が四方から壁によって囲まれた状態にあり、その壁の肉厚分だけ通気路の有効断面積が土台用スペーサの総断面積よりも削減されてしまうため、多くの通気量を確保することは難しい。これに対し、上記通気路として下方に開放された溝を形成したものでは、下側に壁がない分、より多くの通気路面積を確保することが可能であるが、各溝の間に介在する隔壁部の下端が自由端となっていて全体的に剛性及び強度の低い形状となるため、その強度を補うべく各隔壁部を連結する天壁部の肉厚を大きく設定せざるを得ず、その分通気路面積は結局のところ削減されることになる。従って、下側壁を省略するだけでは通気を効果的に促進させることは困難である。
【０００８】
本発明は、このような事情に鑑み、土台用スペーサに要求される剛性及び強度を満足させながら、より多くの通気量を確保するようにすることを目的とする。
【課題を解決するための手段】
【０００９】
上記課題を解決するための手段として、スペーサの有効な補強を行うことにより、十分な剛性及び強度を保ちながら連結部の肉厚を小さく抑えてその分だけ通気路面積を大きく確保することが考えられる。
【００１０】
本願の請求項１に係る発明は、このような観点からなされたものであり、建造物の基礎とその上に載置される土台との間に介在する土台用スペーサであって、特定方向に所定間隔を隔てて並んで配列されるとともにその底面が上記基礎の上に載置可能な複数の隔壁部と、これらの隔壁部同士の間に介在し、隣接する隔壁部同士をその配列方向に連結する複数の連結部とを備え、上記各隔壁部の上面と上記複数の連結部のうち少なくとも一部の連結部の上面とは略同一平面上に位置して、その平面が上記土台が載置可能な土台載置面として構成されており、上記各連結部の縁からは上記隔壁部の上記配列方向と直交する方向の端部の少なくとも一方が外側に突出しており、上記各隔壁部同士の間には、平面視で上記連結部と重なり合わない位置に、隣接する隔壁部同士を上下方向において上記連結部と反対側で相互連結する補助連結部が形成されていることを特徴とするものである。
【００１１】
この構成によれば、隣接する隔壁部同士は連結部により連結されているのに加えて、上下方向において連結部と反対側では補助連結部により相互連結されているため、上記連結部の肉厚を小さく抑えながらも十分な剛性及び強度を確保することが可能である。しかも、上記補助連結部は平面視で上記連結部と重なり合わない位置に形成されているので、上記補助連結部の形成によって通気路面積が削減されてしまうのを回避し、もしくは当該削減を有効に抑止することができる。さらには、連結部の縁からは隔壁部の端部が突出しているので、隔壁部の間に形成されている通気路内に空気が流入し易い構造のままで上記効果を得ることができる。
【００１２】
また、本願の請求項２に係る発明のように、上記各連結部は、上記隔壁部の上端部同士を連結するものであり、これらの連結部の上面と上記各隔壁部の上面とが略同一平面上に位置して上記土台載置面を構成しており、上記補助連結部は、上記隔壁部の下部同士を連結するものであれば、土台載置面を大きく確保することができるため、当該土台載置面に作用する土台からの荷重を効率的に分散させることができるようになる。
【００１３】
ここで、補助連結部が隔壁部の下部同士を連結する位置は、隔壁部の最下端であってもよいが、その場合は上記通気路内に入り込んだ雨水等が当該通気路内に溜まるおそれがあるのに対し、本願の請求項３に係る発明のように、補助連結部が隔壁部の最下端よりも上側の高さ位置で当該隔壁部の下部同士を連結するようにして、当該隔壁部が上記基礎の上面上に載置された状態で上記補助連結部の下側に排水路が確保されるように構成すれば、補助連結部によって有効な補強を行いながら排水路を確保することができ、通気路内に入り込んだ雨水等を補助連結部の下側の排水路から排水させることができる。
【００１４】
また、上記請求項１〜３のいずれかに係る発明において、さらに、本願請求項４に係る発明のように、上記連結部の縁から突出している上記隔壁部の端部がその突出方向に向かって先細りになっている構成とすれば、当該隔壁部同士の間に形成される通気路内への空気の流入をより円滑にすることができる。
【００１５】
本発明において、各隔壁部の具体的な構造は適宜設定可能であるが、例えば本願の請求項５に係る発明のように、底面側に開口する筒状壁を有し、その内側に当該筒状壁を隔壁部の並び方向と平行な方向に連結するリブが設けられた構造とすれば、当該隔壁部を完全な中実構造とした場合に比べ、十分な強度を確保しながら軽量化及び材料費の削減を図ることができる。特に、上記隔壁部にその配列方向と平行な方向のせん断荷重が作用した場合、そのせん断方向に隔壁部が変形するのを上記リブの存在によって有効に抑止することが可能になる。
【００１６】
また、本発明に係る土台用スペーサは、本願請求項６に記載されるようにその全体を合成樹脂により一体に成形することが可能であり、これによって、部品点数の増加を伴うことなく上記の各効果を得ることができる。
【００１７】
さらに、本願請求項７に係る発明のように、上記複数の隔壁部のうち少なくとも一部の隔壁部の上面には、上記土台載置面から下方に窪むとともに上記隔壁部が並ぶ方向と略直交する方向に延びて、隔壁部の両側に開口する溝部が形成されていれば、土台載置面に土台が載置されたときに上記溝部によって土台の下面に面する第２の通気路が確保されるため、土台の下面を乾燥させて土台の腐食を防止することができる。
【００１８】
また、本願の請求項８に係る発明は、建造物の基礎とその上に載置される土台との間に請求項１〜７のいずれか１項に記載の土台用スペーサが介在し、かつ、この土台用スペーサの連結部の縁から突出している端部が上記土台の縁からも突出するように当該土台用スペーサと上記土台との相対位置が決められているものである。
【００１９】
この構成によれば、上記連結部の縁から突出している隔壁部の端部が土台の縁からも突出しているため、その隔壁部端部同士の間に形成されている通気路端部開口を上方に開放させることができ、その分、当該通気路内への空気の流入をより促進することが可能になる。
【発明の効果】
【００２０】
以上のように、本発明によれば、スペーサに求められる剛性及び強度を満足させながら、より多くの通気量を確保することができる効果がある。
【図面の簡単な説明】
【００２１】
【図１】参考例に係る土台用スペーサが配設された状態を示す斜視図である。
【図２】参考例に係る土台用スペーサの斜視図であり、（ａ）は上面から、（ｂ）は下面から見た図である。
【図３】参考例に係る土台用スペーサの要部拡大図であり、（ａ）は平面図、（ｂ）は正面図、（ｃ）は下面図である。
【図４】図３（ａ）におけるＩ−Ｉ線断面図である。
【図５】図３（ａ）におけるＩＩ−ＩＩ線断面図である。
【図６】参考例に係る土台用スペーサを基礎と土台との間に配設したときの断面図である。
【図７】本発明の実施形態に係る土台用スペーサの斜視図であり、（ａ）は上面から、（ｂ）は下面から見た図である。
【図８】上記実施形態に係る土台用スペーサの要部拡大図であり、（ａ）は平面図、（ｂ）は正面図、（ｃ）は下面図である。
【図９】図８（ａ）におけるＩＩＩ−ＩＩＩ線断面図である。
【図１０】図８（ａ）におけるＩＶ−ＩＶ線断面図である。
【図１１】上記実施形態に係る土台用スペーサを基礎と土台との間に配設したときの断面図である。
【図１２】変形例の土台用スペーサの斜視図であり、（ａ）は上面から、（ｂ）は下面から見た図である。
【図１３】変形例の土台用スペーサの斜視図であり、（ａ）は上面から、（ｂ）は下面から見た図である。
【図１４】変形例の土台用スペーサの斜視図であり、（ａ）は上面から、（ｂ）は下面から見た図である。
【図１５】変形例の土台用スペーサの斜視図であり、（ａ）は上面から、（ｂ）は下面から見た図である。
【図１６】変形例の土台用スペーサの斜視図であり、（ａ）は上面から、（ｂ）は下面から見た図である。
【図１７】変形例の土台用スペーサの斜視図であり、（ａ）は上面から、（ｂ）は下面から見た図である。
【図１８】変形例の土台用スペーサの斜視図であり、（ａ）は上面から、（ｂ）は下面から見た図である。
【図１９】他の参考例に係る土台用スペーサの斜視図であり、（ａ）は上面から、（ｂ）は下面から見た図である。
【発明を実施するための形態】
【００２２】
以下、本発明を実施するための形態について、図面を参照しながら詳細に説明する。
【００２３】
まず、図１〜図６に参考例に係る土台用スペーサ１０Ａを示す。
【００２４】
図１及び図２に示すように、土台用スペーサ１０Ａは、建造物の基礎２０とその上に載置される土台３０との間に介在するものである。この土台用スペーサ１０Ａは、全体として長尺板状に形成され、その長手方向が建造物の基礎２０の長手方向に沿うように当該基礎２０の上に載置されるようになっている。
【００２５】
この土台用スペーサ１０Ａの長手方向両端部には、他の土台用スペーサ１０Ａと接合される接合部１８が設けられており、この接合部１８により複数の土台用スペーサ１０Ａを長手方向に連続して接合可能となっている。
【００２６】
なお、図１に示す例では、土台用スペーサ１０Ａを適当な長さで切断したスペーサ片１０Ａ’を組合せて使用している。このように土台用スペーサ１０Ａを切断することにより、基礎２０の長さに対して過不足なく土台用スペーサ１０Ａを載置することが可能である。
【００２７】
上記土台用スペーサ１０Ａは、図３に示すように、土台用スペーサ１０Ａの長手方向に所定間隔を隔てて並んで配列される複数の隔壁部１２と、これらの隔壁部１２同士の間に介在し、隣接する隔壁部１２同士を連結する複数の連結部１４とを備えている。
【００２８】
上記各隔壁部１２は、外見的には平面視土台用スペーサ１０Ａの幅方向に延びる長尺状であってその両端が丸みを帯びた形状に形成されている。そのため、隔壁部１２の長手方向の両端部は、その長手方向の外側に向かって先細りとなっている。また、各隔壁部１２の底面は、略同一平面上に位置して上記基礎２０の上に載置可能となっている。
【００２９】
本参考例では、上記隔壁部１２は、土台用スペーサ１０Ａの幅方向両端に対応する位置に二列で配列されているとともに、双方の列の隔壁部１２は土台用スペーサ１０Ａの長手方向の位置が相互に合致するように配置されている。そして、各列の隔壁部１２の上端部同士は、上記連結部１４によって土台用スペーサ１０Ａの長手方向に連結されている。
【００３０】
なお、本参考例では、各列の連結部１４のうち所定の連結部１４同士を土台用スペーサ１０Ａの幅方向に連結する橋架部１５が複数箇所に設けられており、これらの橋架部１５のうち所定の橋架部１５には、土台用スペーサ１０Ａを釘によって上記基礎２０に固定するための固定部１７が連設されている。
【００３１】
この橋架部１５は、所定のピッチで配置されているため、土台用スペーサ１０Ａは平面視略梯子状となっている。なお、橋架部１５は、土台用スペーサ１０Ａの長手方向の一端側では端部に配置され、他端側では端部から少し内側に入り込んだ位置に配置されており、その配置は土台用スペーサ１０Ａの長手方向において非対称となっている。
【００３２】
また、橋架部１５は、土台用スペーサ１０Ａの長手方向に並ぶ一対の隔壁１５ａを有しており、この隔壁１５ａは、土台用スペーサ１０Ａの長手方向において上記隔壁部１２の位置と合致する位置に配置されている。
【００３３】
なお、上記隔壁１５ａは、上記隔壁部１２と略同一外形に形成されているとともに、隔壁１５ａの底面は、上記隔壁部１２の底面と略同一平面上に位置している。また、各隔壁１５ａとその隔壁１５ａに対して当該隔壁１５ａの長手方向に隣接する隔壁部１２との間には、図３（ｃ）及び図４に示されるような隙間１１が確保されている。
【００３４】
そして、この隔壁１５ａの互いに対向する側面と反対側の側面に、上記固定部１７が連設されている。
【００３５】
この固定部１７は、当該固定部１７を上下方向に貫通して釘の本体部が挿通可能な挿通部１７ｂと、釘の頭部が嵌り込み可能な凹部１７ａとを有している（図５参照）。
【００３６】
上記各連結部１４は、上記隔壁部１２の底面と略平行な姿勢で土台用スペーサ１０Ａの長手方向に延びる板状体である。そして、これらの連結部１４が、当該連結部１４の上面と上記隔壁部１２の上面とが略同一平面上に位置するように隔壁部１２の上端部同士を連結することにより、この平面が土台３０が載置可能な土台載置面１０ａとして構成されている。
【００３７】
本参考例では、橋架部１５の上面も上記連結部１４の上面と略同一平面上に位置しており、この橋架部１５の上面も上記土台載置面１０ａを構成している。
【００３８】
なお、上記各連結部１４における土台用スペーサ１０Ａの幅方向内側の縁と上述した橋架部１５の縁とで窓１９が形成され、この窓１９内に基礎から突出するアンカーボルト２５が挿通可能となっている（図１参照）。
【００３９】
ここで、上述のように隔壁１５ａと隔壁部１２との間には土台用スペーサ１０Ａの幅方向に隙間１１が確保されているので、この隙間１１を通じて窓１９同士の間でも通気が可能となっている。
【００４０】
上記各連結部１４の肉厚としては、当該連結部１４が上記隔壁部１２の上端部同士を連結していて隔壁部１２の下端が自由端となっているので、土台用スペーサ１０Ａを取扱う際に当該土台用スペーサ１０Ａが大きく撓むことのないように十分大きく設定されている。
【００４１】
また、各連結部１４の幅は、図４に示すように、上記隔壁部１２の長さよりも短い寸法に設定されているとともに、連結部１４における土台用スペーサ１０Ａの幅方向内側の縁と隔壁部１２における土台用スペーサ１０Ａの幅方向内側の端点とが略合致するように設定されている。
【００４２】
このため、上記各連結部１４における土台用スペーサ１０Ａの幅方向外側の縁からは隔壁部１２における土台用スペーサ１０Ａの幅方向外側の端部が突出しており、その端部が突出している領域では、当該土台用スペーサ１０Ａを施工する前の状態において上記隔壁部１２同士の間に形成される空間が上下に開放されている。
【００４３】
上記各隔壁部１２は、底面側に開口する筒状壁１２ａを有し、その内側に当該筒状壁１２ａを隔壁部１２の並び方向と平行な方向に連結するリブ１２ｂが設けられている。
【００４４】
これらの隔壁部１２のうち、土台用スペーサ１０Ａの長手方向の両端に位置する隔壁部１２’は、他の隔壁部１２と少し違う形状となっている。すなわち、土台用スペーサ１０Ａの一端側に位置する二列の隔壁部１２’のうち一方の列の隔壁部１２’には、土台用スペーサ１０Ａの長手方向に突出するとともに上下方向に延在する突条部１８ａが形成され、他方の列の隔壁部１２’には、その突条部１８ａが嵌合可能な溝部１８ｂが形成されている。また、土台用スペーサ１０Ａの他端側に位置する隔壁部１２’における上記突条部１８ａが形成された方の列の隔壁部１２’には、上記溝部１８ｂと同様の溝部１８ｂが形成され、他方の列の隔壁部１２’には、上記突条部１８ａと同様の突条部１８ａが形成されている。換言すれば、土台用スペーサ１０Ａの一端側の隔壁部１２’と他端側の隔壁部１２’は土台用スペーサ１０Ａの平面上での中心点に対して点対称となっている。そして、この突条部１８ａと溝部１８ｂとで上述した接合部１８が構成されている。
【００４５】
ここで、２つの土台用スペーサ１０Ａを長手方向に接合するには、一方の突条部１８ａを他方の溝部１８ｂに嵌入させるとともに、一方の溝部１８ｂに他方の突条部１８ａを嵌合させればよい（図１参照）。
【００４６】
なお、土台用スペーサ１０Ａの長手方向一端側の接合部１８と他端側の接合部１８とは、上述した構成により点対称となっているので、２つの土台用スペーサ１０Ａを同じ向きで接合するだけでなく、一方を平面上で１８０°反転させても双方の土台用スペーサ１０Ａ同士を接合することは可能である。
【００４７】
このような構成の土台用スペーサ１０Ａを製造するには、上下から挟み込む金型を用いて合成樹脂により一体成形することが可能である。
【００４８】
次に、土台用スペーサ１０Ａの使用要領及び作用を説明する。
【００４９】
まず、土台用スペーサ１０Ａの隔壁部１２の底面を基礎２０の上に載置する。基礎２０の長さに対して土台用スペーサ１０Ａの長さが短い場合には、複数の土台用スペーサ１０Ａを接合部１８によって長手方向に相互に接合して使用する。
【００５０】
土台用スペーサ１０Ａを基礎２０の上に同じ向きで載置していくと、土台用スペーサ１０Ａの橋架部１５とアンカーボルト２５とが干渉する場合がある。この場合には、上述したように２つの土台用スペーサ１０Ａのうち一方を１８０°反転させても双方の土台用スペーサ１０Ａ同士を接合することが可能であるとともに、上記橋架部１５の配置は長手方向で非対称となっているので、上記のように土台用スペーサ１０Ａを反転させることにより、当該干渉を回避して窓１９内にアンカーボルト２５を挿通させることが可能である。
【００５１】
土台用スペーサ１０Ａの長さが基礎２０の長さよりも長い場合や、複数の土台用スペーサ１０を接合しながら基礎２０の上に載置した結果、末端の土台用スペーサ１０Ａが基礎２０の長手方向端部から張り出す場合には、適当な位置で土台用スペーサ１０Ａの連結部１４を切断して所望の長さのスペーサ片１０Ａ’を得て、このスペーサ片１０Ａ’を基礎２０の上に載置する。
【００５２】
そして、土台用スペーサ１０Ａを載置した後に、土台用スペーサ１０Ａの固定部１７を釘で基礎２０に固定する。その後、土台用スペーサ１０Ａの土台載置面１０ａの上に土台３０を載置する。
【００５３】
このように土台用スペーサ１０Ａを基礎２０と土台３０との間に介在させると、図６に示すように、連結部１４がある部分では、左右を隔壁部１２に挟まれ上下を連結部１４と基礎２０とで挟まれた空間によって床下換気用の通気路１３が構成される。
【００５４】
一方、連結部１４の縁から隔壁部１２の端部が突出している領域では、当該連結部１４が存在せず、このスペーサ部分は当該隔壁部１２の間に形成されている空間が上下に開放された形状となっているので、この部分は施工後の状態において左右を隔壁部１２で挟まれ上下を土台と基礎とで挟まれた空間によって床下換気用の通気路１３が構成されることとなる。
【００５５】
よって、この構造では、上記連結部１４が隔壁部１２の長手方向全域に亘って存在する構造に比して通気路１３端部の開口面積をより大きくすることができ、当該通気路１３内に空気が流入し易い構造とすることができる。このように通気路１３内に空気が流入し易くなれば、その分通気量を稼ぐことが可能になる。しかも、各隔壁部１２の端部を連結部１４の縁から突出させているだけで上記通気量の増大を図ることが可能であり、スペーサ全体の剛性及び強度には殆ど影響を与えない。
【００５６】
従って、スペーサに求められる剛性及び強度を満足させながら、より多くの通気量を確保することができる。
【００５７】
なお、図１に示すように２つの土台用スペーサ１０ＡがＴ字状に直交する箇所では、一方の土台用スペーサ１０Ａの側面に他方の土台用スペーサ１０Ａの端面が接することになるが、上述したように、橋架部１５の隔壁１５ａと隔壁部１２との間には土台用スペーサ１０Ａの幅方向に隙間１１が確保されていて当該隙間１１を通じて当該スペーサ１０Ａの長手方向にも通気が可能となっているので、上記直交部分においても土台用スペーサ１０Ａ同士の間での通気が可能となる。
【００５８】
また、上記連結部１４の縁から突出している上記隔壁部１２の端部がその突出方向に向かって先細りになっているので、当該隔壁部１２同士の間に形成される通気路１３内への空気の流入をより円滑にすることができる。
【００５９】
特に、図示の参考例では、各隔壁部１２の両端部が先細りとなっているので、これらの隔壁部１２の間に形成される通気路１３内に土台用スペーサ１０Ａの外側からも内側（すなわち窓１９側）からも空気が円滑に流入することが可能となっている。このため、基礎２０の外側もしくは内側（すなわち床下側）の空気は円滑に通気路１３内に流入して窓１９内に侵入し、かつ、この窓１９から円滑に反対側の通気路１３内に流入して上記基礎２０の反対側に流出することが可能であり、その結果、基礎内外の通気量が増大することとなる。
【００６０】
また、図示の参考例では、上記隔壁部１２が底面側に開口する筒状壁１２ａを有し、その内側に当該筒状壁１２ａを隔壁部１２の並び方向と平行な方向に連結するリブ１２ｂが設けられた構造となっているので、当該隔壁部１２を完全な中実構造とした場合に比べて軽量化及び材料費の削減を図りながら十分な強度を確保することが可能となっている。
【００６１】
特に、土台用スペーサ１０Ａに上記隔壁部１２の配列方向と平行な方向のせん断荷重が作用した場合に、そのせん断方向に土台用スペーサ１０Ａが変形するのを上記リブ１２ｂの存在によって有効に抑止することができるため、当該せん断荷重に対する土台用スペーサ１０Ａの強度は著しく向上することになる。
【００６２】
また、図６に示すように、土台用スペーサ１０Ａの全幅を土台３０の幅よりも広く設定して、土台用スペーサ１０Ａの連結部１４の縁から突出している隔壁部１２の端部が上記土台３０の縁からも突出するように当該土台用スペーサ１０Ａと上記土台３０との相対位置を決めるようにすれば、その隔壁部１２の端部同士の間に形成されている通気路１３の端部開口を上方に開放させることができ、その分、当該通気路１３内への空気の流入をより促進することが可能になる。
【００６３】
次に、図７〜図１１に本発明の実施形態に係る土台用スペーサ１０Ｂを示す。この実施形態に係る土台用スペーサ１０Ｂは、上記参考例に係る土台用スペーサ１０Ａと比べると、隔壁部１２の下部同士を相互連結する補助連結部１６が設けられていることと、各連結部１４０の肉厚が小さく抑えられていることの２点のみが異なり、他の構成部分は同一となっている。よって、上述した参考例と同一構成部分には同一符号を付して、その説明を省略する。
【００６４】
上記各連結部１４０は、上述した参考例に係る連結部１４と肉厚のみが異なり、幅や隔壁部１２を連結している構成等は全く同じであり、これらの連結部１４０の縁からは隔壁部１２の端部が土台用スペーサ１０Ｂの幅方向外側に突出している。
【００６５】
上記補助連結部１６は、上記連結部１４０の縁から隔壁部１２の端部が突出している領域にのみ形成されている。この補助連結部１６は、土台用スペーサ１０Ｂの長手方向に延びる断面略矩形状の棒状体である（図９参照）。この補助連結部１６には、当該補助連結部１６の上面と当該補助連結部１６における土台用スペーサ１０Ｂの幅方向外側の側面とで挟まれるコーナー部が面取りされてテーパー部１６ａが形成されている。
【００６６】
この補助連結部１６が設けられている位置は、隔壁部１２の最下端ではなく、最下端よりも少し上側の高さ位置である。また、この補助連結部１６と上記連結部１４０とは平面視において重なり合わないように設定されており、具体的には補助連結部１６における土台用スペーサ１０Ｂの幅方向内側の側面と上記連結部１４０における土台用スペーサ１０Ｂの幅方向外側の縁との間に隙間ｔが設けられている。
【００６７】
この隙間ｔを設けることによって、平面視において上記連結部１４と上記補助連結部１６とが重なり合わないようになり、また他の部分においても上下に重なり合う部分がないので、上下から挟み込む金型を用いて合成樹脂により一体成形して土台用スペーサ１０Ｂを製造することが可能となる。
【００６８】
このような補助連結部１６が設けられていれば、各隔壁部１２の上端同士が連結部１４０により連結されているのに加えて、各隔壁部１４０の下部同士も補助連結部１６により連結されているため、上記各連結部１４０の肉厚を小さく抑えながらも十分な剛性及び強度を確保することが可能である。そして、このように各連結部１４０の肉厚を小さく設定することにより、その分だけ通気路１３の面積を大きく確保することができる。
【００６９】
しかも、上記補助連結部１６は上記連結部１４０の縁から上記隔壁部１２の端部が突出している領域、すなわち、当該連結部１４０が存在しない領域にのみ形成されているので、上記補助連結部１６の形成によって通気路面積が削減されてしまうのを回避し、もしくは当該削減を有効に抑止することができる。
【００７０】
具体的には、図１１に示すように、連結部１４０が存在しない領域にのみ補助連結部１６が形成されているので、補助連結部１６の垂直面への投影面積がそのまま通気路１３の面積の減少につながるのではなく、補助連結部１６の投影面積から連結部１４０の投影面積を差し引いた分だけ通気路１３の面積の削減が回避される。ここで、補助連結部１６の投影面積が連結部１４０の投影面積よりも小さくなるように設定すれば、通気路１３の面積は上記連結部１４０が隔壁部１２の長手方向全域に亘って存在する構造に比して減少することがなく、通気路１３の面積の削減を有効に抑止することができる。
【００７１】
従って、このように連結部１４０が存在しない領域にのみ補助連結部１６を形成しても、スペーサに求められる剛性及び強度を満足させながら、より多くの通気量を確保することができる。
【００７２】
また、上記補助連結部１６における土台用スペーサ１０Ｂの幅方向外側の部分にはテーパー部１６ａが形成されているので、補助連結部１６の上側からは通気路１３内に空気がスムーズに流入するようになる。
【００７３】
さらに、本実施形態では、補助連結部１６が隔壁部１２の最下端よりも上側の高さ位置に設けられているので、上記床下換気用の通気路１３を構成する空間のうち補助連結部１６の下側の空間１３’は、排水路としても機能するようになっている。すなわち、上記通気路１３内に雨水等が入り込んだ場合には、その雨水等は補助連結部１６の下側の空間１３’から排水されるようになる。
【００７４】
上記のように、補助連結部１６の下側に排水路として機能する空間１３’が確保されるには、補助連結部１６の下面と隔壁部１２の底面との距離を２ｍｍ程度に設定すれば十分である。このように構成すれば、補助連結部１６によって有効な補強を行いながら排水路を確保することができる。
【００７５】
なお、本発明の土台用スペーサ１０Ｂは、上述した実施形態で示した形態に限定されるものではなく、種々の変更が可能である。
【００７６】
例えば、上記実施形態では、隔壁部１２が二列に配列されてその隔壁部１２の上端部同士を連結する連結部１４０が橋架部１５によって土台用スペーサ１０Ｂの幅方向にも連結された形態を示したが、橋架部１５を省略して各列のものをそれぞれ土台用スペーサとすることも可能である。この場合には、隔壁部１２の長手方向の両端部は、両方ともが連結部１４０の縁から突出している必要はなく、少なくとも一方が突出していればよい。
【００７７】
また、上記実施形態では、各連結部１４０における土台用スペーサ１０Ｂの幅方向内側の縁と隔壁部１２における土台用スペーサ１０Ｂの幅方向内側の端点とが略合致するように設定されており、隔壁部１２における土台用スペーサ１０Ｂの幅方向外側の端部だけが連結部１４０の縁から外側に突出している形態を示したが、反対側の端部が内側に突出していてもかまわない。
【００７８】
さらには、各連結部１４０における土台用スペーサ１０Ｂの幅方向内側の縁が隔壁部１２における土台用スペーサ１０Ｂの幅方向内側の端点よりも内側に位置するようにして、各隔壁部１２の間に位置する複数の連結部１４０を相互に連結することも可能である。
【００７９】
なお、隔壁部１２の上面の全面が連結部１４０の上面と略同一平面上に位置する必要はなく、例えば、隔壁部１２の上面のうち、連結部１４の縁から突出する隔壁部１２の端部の上面が他の部分の上面と比べ一段下がるように形成されていてもかまわないし、あるいはその端部の上面がテーパー状に形成されていてもかまわない。
【００８０】
一方、接合部１８は必須の構成要件ではなく、省略可能である。
【００８１】
また、土台用スペーサ１０Ｂは、１８０°反転して載置可能である必要はなく、土台用スペーサ１０Ｂの一方の側面のみを建材部の外側を向く面として構成して、同じ向きで基礎２０の上に載置するようにしてもかまわない。
【００８２】
なお、隔壁部１２は、必ずしも筒状壁１２ａを有している必要はなく、中実構造であってもよい等、隔壁部１２の具体的な構造は適宜設定可能である。
【００８３】
また、固定部１７の位置は、適宜変更可能である。
【００８４】
さらには、上記実施形態に係る土台用スペーサ１０Ｂにおいては、図１２〜図１７に示す土台用スペーサ１０Ｃ〜１０Ｈのように変形させても同様の効果を得ることができる。ただし、上記土台用スペーサ１０Ｂの形状であれば、簡単な形状で上記効果を得ることができるだけでなく、土台載置面１０ａを大きく確保することができるため、当該土台載置面１０ａに作用する土台３０からの荷重を効率的に分散させることができる。
【００８５】
図１２に示す変形例の土台用スペーサ１０Ｃでは、各連結部１４０の幅がさらに小さく設定されており、各連結部１４０における土台用スペーサ１０Ｃの幅方向両側の縁からは各隔壁部１２の両端部が土台用スペーサ１０Ｃの幅方向外側と内側の双方に突出している。そして、この隔壁部１２の端部が外側に突出する領域と内側に突出する領域に、上記補助連結部１６が交互に形成されている。
【００８６】
この土台用スペーサ１０Ｃにおいても上記土台用スペーサ１０Ｂと同様に、上記補助連結部１６は、平面視で上記連結部１４０と重なり合わない位置に配置されている。なお、以下に示す土台用スペーサ１０Ｄ〜１０Ｈにおいても、補助連結部１６は、平面視で連結部１４０と重なり合わない位置に配置されている。
【００８７】
図１３に示す変形例の土台用スペーサ１０Ｄでは、各隔壁部１２が土台用スペーサ１０Ｄの幅方向に対して僅かに傾斜した姿勢で土台用スペーサ１０Ｄの長手方向に配列されている。なお、一方（図１３（ｂ）では左側）の列の隔壁部１２と他方（図１３（ｂ）では右側）の列の隔壁部１２とは、その長手方向に沿って延びる同一直線上には並んでおらず、少しずれた位置に配置されている。
【００８８】
また、この土台用スペーサ１０Ｄにおいても上記土台用スペーサ１０Ｃと同様に、各連結部１４０の縁から各隔壁部１２の両端部が両側に突出しており、補助連結部１６は、隔壁部１２の端部が外側に突出する領域と内側に突出する領域の両方に形成されている。なお、補助連結部１６は、隔壁部１２の下端部同士を連結する位置に設けられており、補助連結部１６の下面と隔壁部１２の底面とは略同一平面上に位置している。
【００８９】
このようにすれば、さらに土台用スペーサ１０Ｄの剛性の向上を図ることができるとともに、補助連結部１６の断面積を小さく設定して、通気路１３の面積をより大きく確保することも可能である。
【００９０】
さらに、この土台用スペーサ１０Ｄでは、土台載置面１０ａに上方に向かって先細りとなる略円錐状の突起１０ｂが千鳥配置されている。この突起１０ｂは、各隔壁部１２の上面に形成されている。このため、土台載置面１０ａに土台３０を載置すると、上記突起１０ｂが土台３０の下面に食い込んで、土台３０と土台用スペーサ１０Ｄとの相対位置ズレが規制される。
【００９１】
図１４に示す変形例の土台用スペーサ１０Ｅでは、各隔壁部１２の上面及び下面に溝部１２ｃが形成されている。隔壁部１２の上面に形成された溝部１２ｃは、土台載置面１０ａから下方に窪むとともに隔壁部１２の長手方向に延び、隔壁部１２の両側に開口する形状をなしている。隔壁部１２の下面に形成された溝部１２ｃも同様の形状をなしている。
【００９２】
このような溝部１２ｃが形成されていれば、土台載置面１０ａに土台３０が載置されたときに上記隔壁部１２の上面に形成された溝部１２ｃによって土台３０の下面に面する第２の通気路が確保されるため、土台３０の下面を乾燥させて土台３０の腐食を防止することができる。また、同様に隔壁部１２の下面に形成された溝部１２ｃによって基礎２０の上面を乾燥させることができる。
【００９３】
なお、上記溝部１２ｃは、全ての隔壁部１２の上面及び下面に形成されている必要はなく、一部の隔壁部１２の上面にのみ形成されていてもよい。
【００９４】
図１５に示す変形例の土台用スペーサ１０Ｆは、土台用スペーサ１０Ｆの幅方向の中心を通って土台用スペーサ１０Ｆの長手方向に延びる中心線回りに線対称の形状となっており、上面と下面とを反転させても同一の外観を有するようになっている。
【００９５】
すなわち、一方（図１５（ａ）では左側）の列では、各隔壁部１２の下端部同士が連結部１４０によって連結され、連結部１４０の下面と各隔壁部１２の底面とが略同一平面上に位置しているとともに、各隔壁部１２の上面のみで土台載置面１０ａが構成されている。また、上記土台用スペーサ１０Ｂと同様に、隔壁部１２の端部が外側に突出する領域にのみ補助連結部１６が形成され、この補助連結部１６によって隔壁部１２の上部同士が相互連結されている。
【００９６】
一方、他方（図１５（ａ）では右側）の列では、上述した土台用スペーサ１０Ｂ〜１０Ｅと同様に、各隔壁部１２の上端部同士が連結部１４０によって連結されており、連結部１４０の上面と各隔壁部１２の上面とで土台用載置面１０ａが構成されている。また、隔壁部１２の下部同士は、隔壁部１２の端部が外側に突出する領域で補助連結部１６によって相互連結されている。
【００９７】
このように形成された土台用スペーサ１０Ｆであれば、上面と下面とを反転して使用できるようになる。
【００９８】
図１６に示す変形例の土台用スペーサ１０Ｇでは、各列の連結部１４０が土台用スペーサ１０Ｇの長手方向に沿って交互に上下に配置されている。そして、補助連結部１６は、連結部１４０が上側に配置されている部分では隔壁部１２の端部が外側に突出する領域で隔壁部１２の下部同士を連結しており、連結部１４０が下側に配置されている部分では隔壁部１２の端部が内側に突出する領域で隔壁部１２の上部同士を連結している。
【００９９】
図１７に示す変形例の土台用スペーサ１０Ｈでは、連結部１４０が、土台用スペーサ１０Ｈの幅方向に分割されており、その間に隙間Ｓが設けられていて、この隙間Ｓの下方に補助連結部１６が配設されている。
【０１００】
上記補助連結部１６における土台用スペーサ１０Ｈの幅方向の寸法は、上記隙間Ｓにおける土台用スペーサ１０Ｈの幅方向の寸法より小さく設定されており、これにより連結部１４０と補助連結部１６とは平面視で重なり合わないようになっている。
【０１０１】
また、上記補助連結部１６は、隔壁部１２の下端部同士を連結しており、補助連結部１６の下面と隔壁部１２の底面とは略同一平面上に位置しているとともに、上記隔壁部１２の配列方向と略平行な方向に延びる同一直線上に並んでいる。
【０１０２】
このようにすれば、通気路の面積を大きく確保しながらも、補助連結部１６を目立たなくして美観を向上させることができる。
【０１０３】
ここで、上記補助連結部１６は、隔壁部１２の下端部同士を連結する位置に形成されている必要はなく、図１８に示すように、隔壁部１２の最下端よりも上側の部分同士を連結する位置に形成されていてもよい。このようにすれば、上述した土台用スペーサ１０Ｂと同様に、補助連結部１６の下側に排水路を確保することも可能である。
【０１０４】
なお、上述した各土台用スペーサ１０Ｂ〜１０Ｈにおいては、補助連結部１６の断面形状は、例えば円形状であってもよい。
【０１０５】
さらに、図１９に示す他の参考例の土台用スペーサ１０Ｉのように、補助連結部１６０を着脱可能に隔壁部１２に取付けるようにすれば、上記参考例の土台用スペーサ１０Ａと上記実施形態の土台用スペーサ１０Ｂの双方の利点を取り入れることができる。
【０１０６】
上記補助連結部１６０は、土台用スペーサ１０Ｉの長手方向に沿って延びる長方形板状をなしており、その上面には、各隔壁部１２に対応する位置に係合部１６０ａが設けられている。
【０１０７】
一方、各隔壁部１２の底面には、当該隔壁部１２の長手方向の中央に上記補助連結部１６０が嵌り込み可能な凹部１２ｄが形成されているとともに、この凹部１２ｄの中央には、上記補助連結部１６０の係合部１６０ａが嵌り込んでその内周面に係合可能な係合穴１２ｅが形成されている。
【０１０８】
このような土台用スペーサ１０Ｉであれば、補助連結部１６０の係合部１６０ａを隔壁部１２の係合穴１２ｅに嵌め込んで補助連結部１６０を隔壁部１２に取付けることにより十分な剛性を確保できるため、連結部１４０の肉厚を小さく抑えることができるとともに、補助連結部１６０を取外せば通気路の全長に亘って通気路の有効断面積を大きく確保することができる。そして、補助連結部１６０を輸送時等の特に剛性が必要な場合に隔壁部１２に取付けておき、土台２０に載置する直前に隔壁部１２から取外せばよい。
【０１０９】
なお、上記補助連結部１６０の係合部１６０ａは、全ての隔壁部１２に対応する位置に設けられている必要はなく、隔壁部１２が設けられているピッチの整数倍のピッチで設けられていてもよいし、隔壁部１２の係合穴１２ｅも全ての隔壁部１２に形成されている必要はなく、係合部１６０ａのピッチに対応するピッチで並ぶ隔壁部１２にのみ形成されていてもよい。
【符号の説明】
【０１１０】
１０Ａ〜１０Ｉ  土台用スペーサ
１０ａ  土台載置面
１２  隔壁部
１２ａ  筒状壁
１２ｂ  リブ
１２ｃ  溝部
１３  連通路
１４，１４０  連結部
１５  橋架部
１６  補助連結部
１７  固定部
１８  接合部
１９  窓
２０  基礎
２５  アンカーボルト
３０  土台
【図１】
2010133249.tif 000003
【図２】
2010133249.tif 000004
【図３】
2010133249.tif 000005
【図４】
2010133249.tif 000006
【図５】
2010133249.tif 000007
【図６】
2010133249.tif 000008
【図７】
2010133249.tif 000009
【図８】
2010133249.tif 000010
【図９】
2010133249.tif 000011
【図１０】
2010133249.tif 000012
【図１１】
2010133249.tif 000013
【図１２】
2010133249.tif 000014
【図１３】
2010133249.tif 000015
【図１４】
2010133249.tif 000016
【図１５】
2010133249.tif 000017
【図１６】
2010133249.tif 000018
【図１７】
2010133249.tif 000019
【図１８】
2010133249.tif 000020
【図１９】
2010133249.tif 000021